(57)【要約】【課題】折畳み式の作業台を折畳み状態で移動可能とするキャスタ装置を提供する。【解決手段】天板(2)の妻側縁部から下向きに垂設させた開脚姿勢と、該天板の下側に格納させた閉脚姿勢の間で、姿勢変更自在とする枢結機構(4)を設けて成る折畳み式の作業台において、前記妻側縁部の長手方向に離間して、車輪(16a)の進行方向を変更可能とする旋回軸(16X)を備えた自在キャスタにより構成された第１キャスタ(16)と、車輪(17a)の進行方向を旋回不能として妻側縁部の長手方向に向けて固定した固定キャスタにより構成された第２キャスタ(17)を並設しており、閉脚姿勢とした作業台を地面に載置した状態から前記キャスタを支点として作業台を起立させ、該キャスタの車輪を接地させるとき、第２キャスタ(17)の旋回不能な車輪(17a)により、起立方向に関する作業台の地面上での移動を阻止する起立支援手段(18)を構成している。【選択図】図２
2019214852.tif 000002
【特許請求の範囲】
【請求項１】
相互に直交するＸ方向の桁側縁部(8b)とＹ方向の妻側縁部(8a)を有する天板(2)を備え、脚体(3)を該天板の妻側縁部から下向きに垂設させた開脚姿勢と、該天板の下側に格納させた閉脚姿勢の間で、姿勢変更自在とする枢結機構(4)を設けて成る折畳み式の作業台において、
作業台(1)は、天板の妻側縁部から天板の外側に向けてＸ方向に突出する第１キャスタ(16)と第２キャスタ(17)を妻側縁部の長手方向に離間して設け、
脚体を閉脚姿勢とした作業台を地面に載置した状態から、前記キャスタを支点として作業台を起立させることにより、前記キャスタの車輪を接地させるように構成されており、
第１キャスタ(16)は、車輪(16a)の進行方向を変更可能とする旋回軸(16X)を備えた自在キャスタにより構成され、
第２キャスタ(17)は、車輪(17a)の進行方向を旋回不能としてＹ方向に固定した固定キャスタにより構成されており、
前記キャスタを支点として作業台を起立させるとき、第２キャスタ(17)の旋回不能な車輪(17a)により、起立方向に関する作業台の地面上での移動を阻止する起立支援手段(18)を構成して成ることを特徴とする作業台におけるキャスタ装置。
【請求項２】
前記天板(2)の妻側縁部は、全長にわたり下面に開口する長溝(11)を備えた妻側フレーム(6)により形成され、
前記脚体(3)の枢結機構(4)は、少なくとも脚体を閉脚姿勢とした状態で姿勢変更不能に係止する係脱自在なロック手段(10)を設けて成る作業台において、
前記妻側フレーム(6)に着脱自在に固着される支持基体(15)に前記第１キャスタ(16)と第２キャスタ(17)を搭載することによりキャスタユニット(14U)が構成されており、
前記支持基体(15)は、前記妻側フレーム(6)を外側から保持する保持手段(19)と、前記長溝(11)に挿脱自在に挿入係止される係止片(26)を備えた着脱手段(22)を設けて成ることを特徴とする請求項１に記載の作業台におけるキャスタ装置。
【請求項３】
前記支持基体(15)の着脱手段(22)は、前記妻側フレームの長溝(11)の溝深さ方向に延びる支軸(24)と、該支軸を介して溝深さ方向に移動自在かつ回動自在な可動部材(25)を備え、前記可動部材から長溝に向けて前記係止片(26)を延設して成ることを特徴とする請求項２に記載の作業台におけるキャスタ装置。
【請求項４】
前記枢結機構に設けられたロック手段(10)は、前記妻側フレームの長溝(11)に摺動自在に挿入された一対のロッド(12,12)により構成され、一対のロッドの相互に対向する基端部に前記長溝から突出する操作片(12a,12a)を設けると共に、該ロッドの先端部に長溝の端部から進退自在に突出するロック片(12b,12b)を設け、
一対のロッドの操作片(12a,12a)は、ロック片を脚体に係止したとき相互に離反方向に移動して第１離間距離Ｌ１を規定し、ロック片を脚体から離脱したとき相互に近接方向に移動して第２離間距離Ｌ２を規定するように構成されており、
前記キャスタユニットにおける支持基体(15)の着脱手段(22)は、前記操作片(12a,12a)の間に位置して長溝(11)に挿脱自在に挿入される一対のストッパ手段(30,30)を備え、該ストッパ手段の相互間隔ＬをＬ１＞Ｌ＞Ｌ２とするように形成されて成ることを特徴とする請求項２又は３に記載の作業台におけるキャスタ装置。
【発明の詳細な説明】
【技術分野】
【０００１】
本発明は、折畳み式の作業台を折畳んだ状態で容易に移動可能としたキャスタ装置に関する。
【背景技術】
【０００２】
従来、折畳み式の作業台を折畳み状態で移動させる際の便宜のため、キャスタを設けたものが提案されている。
【先行技術文献】
【特許文献】
【０００３】
【特許文献１】特開２００３−２３９５２７号公報
【発明の概要】
【発明が解決しようとする課題】
【０００４】
特許文献１により提案された作業台は、梯子枠を構成する脚体の下端部の内側にキャスタを取付け、脚体を折畳んだ状態で作業台を地面に対して傾斜させたとき、キャスタが地面に臨まされるように構成している。
【０００５】
従って、作業者は、キャスタを地面の上で転動させながら、折畳んだ作業台を牽引することにより、容易に移動させることができる利点がある。
【０００６】
しかしながら、キャスタは、常時、脚体から内向きに突出状態で取付けられているので、種々の問題がある。
【０００７】
例えば、高所作業を行う際、展開した脚体を地面に設置した状態で、キャスタが地面近傍の脚体から突出しているので、作業者その他の者がつまずき、作業台を転倒させるおそれがある。
【０００８】
また、不使用時の作業台を保管するとき、作業台を折畳んだ状態でもキャスタが脚体から突出しているので、複数の作業台を安定状態で積層することが困難であり、しかも、突出したキャスタが異物に衝突して破損するおそれがある。
【０００９】
このため、キャスタを必要時に取付け、不必要時には取外すことができ、しかも、取付け作業と取外し作業が容易であり、更に、堅固な取付け状態として折畳んだ作業台を安定した状態で移動できるように構成した装置を提供することが好ましい。
【００１０】
ところで、従来から、キャスタとしては、車輪の進行方向を変更可能とする旋回軸を備えた自在式キャスタと、車輪の進行方向を旋回不能とする固定式キャスタの２種類が知られている。
【００１１】
固定式キャスタは、車輪の進行方向が所定方向に固定されているのに対して、自在式キャスタは、車輪が旋回軸の廻りに回動自在とされ、進路を容易に変更することができるので、操行性に優れるという利点がある。
【００１２】
この点に関して、作業台は、移動前に、脚体の折畳み作業や、キャスタ装置の取付作業等を必要とするため、折畳んだ作業台を一旦は地面に預け置き、次いで、作業台を起立させた後、キャスタを介して地面を走行させることになる。ところが、作業台に自在式キャスタを取付けた場合、キャスタを支点として作業台を起立させるとき、自在式キャスタが地面を滑動するので、起立作業が困難であり、作業台の転倒を招来する問題がある。
【００１３】
このため、本発明は、上記に鑑み、自在式キャスタと固定式キャスタの２種類のキャスタを並設することにより、自在式キャスタが有する操行良好性の利点を活用する一方において、上記のような作業台の起立時における問題は、固定式キャスタの車輪の進行方向を特定方向に固定することにより解決可能であることを知得し、これを可能としたキャスタ装置を提供するものである。
【課題を解決するための手段】
【００１４】
そこで、本発明が上記課題を解決するための手段として構成したところは、相互に直交するＸ方向の桁側縁部とＹ方向の妻側縁部を有する天板を備え、脚体を該天板の妻側縁部から下向きに垂設させた開脚姿勢と、該天板の下側に格納させた閉脚姿勢の間で、姿勢変更自在とする枢結機構を設けて成る折畳み式の作業台において、作業台は、天板の妻側縁部から天板の外側に向けてＸ方向に突出する第１キャスタと第２キャスタを妻側縁部の長手方向に離間して設け、脚体を閉脚姿勢とした作業台を地面に載置した状態から、前記キャスタを支点として作業台を起立させることにより、前記キャスタの車輪を接地させるように構成されており、第１キャスタは、車輪の進行方向を変更可能とする旋回軸を備えた自在キャスタにより構成され、第２キャスタは、車輪の進行方向を旋回不能としてＹ方向に固定した固定キャスタにより構成されており、前記キャスタを支点として作業台を起立させるとき、第２キャスタの旋回不能な車輪により、起立方向に関する作業台の地面上での移動を阻止する起立支援手段を構成して成る点にある。
【００１５】
本発明の実施形態において、前記天板の妻側縁部は、全長にわたり下面に開口する長溝を備えた妻側フレームにより形成され、前記脚体の枢結機構は、少なくとも脚体を閉脚姿勢とした状態で姿勢変更不能に係止する係脱自在なロック手段を設けており、前記妻側フレームに着脱自在に固着される支持基体に前記第１キャスタと第２キャスタを搭載することによりキャスタユニットが構成され、前記支持基体は、前記妻側フレームを外側から保持する保持手段と、前記長溝に挿脱自在に挿入係止される係止片を備えた着脱手段を設けている。
【００１６】
前記支持基体の着脱手段は、前記妻側フレームの長溝の溝深さ方向に延びる支軸と、該支軸を介して溝深さ方向に移動自在かつ回動自在な可動部材を備え、前記可動部材から長溝に向けて前記係止片を延設することが好ましい。
【００１７】
好ましい実施形態において、前記枢結機構に設けられたロック手段は、前記妻側フレームの長溝に摺動自在に挿入された一対のロッドにより構成され、一対のロッドの相互に対向する基端部に前記長溝から突出する操作片を設けると共に、該ロッドの先端部に長溝の端部から進退自在に突出するロック片を設け、一対のロッドの操作片は、ロック片を脚体に係止したとき相互に離反方向に移動して第１離間距離Ｌ１を規定し、ロック片を脚体から離脱したとき相互に近接方向に移動して第２離間距離Ｌ２を規定するように構成されており、前記キャスタユニットにおける支持基体の着脱手段は、前記操作片の間に位置して長溝に挿脱自在に挿入される一対のストッパ手段を備え、該ストッパ手段の相互間隔ＬをＬ１＞Ｌ＞Ｌ２とするように形成されている。
【発明の効果】
【００１８】
本発明によれば、折畳んだ作業台１を地面に預け置いた状態から起立する際、固定式キャスタにより構成された第２キャスタ１７の車輪１７ａにより安定した支点を提供する起立支援手段１８が構成されるので、起立作業を容易に行うことができる。そして、起立させた作業台１は、自在式キャスタにより構成された第１キャスタ１６により、進行方向を所望の方向に向けて自在に操ることができ、操行性を良好として好適に移動させることができるという効果がある。
【図面の簡単な説明】
【００１９】
【図１】本発明の１実施形態に係るキャスタ装置を取付可能とした作業台の１例を示す斜視図である。
【図２】作業台における天板の妻側縁部とキャスタ装置の関係を示す斜視図である。
【図３】キャスタ装置を取付けた作業台に関して、（Ａ）は折畳まれた作業台を地面に預け置いた状態からキャスタの車輪を支点として起立させるときの作用を示す正面図、（Ｂ）は起立後の作業台をキャスタにより移動させるときの作用を示す正面図である。
【図４】作業台の脚体の枢結機構に関して、天板の妻側縁部に設けられたロック手段を下方から示す底面図であり、（Ａ）はロック片をロック位置に移動した状態を示す底面図、（Ｂ）はロック片をアンロック位置に移動した状態を示す底面図である。
【図５】天板の妻側縁部とキャスタ装置を分離した状態を示す斜視図である。
【図６】天板の妻側縁部とキャスタ装置に関して、下面を上向きとして示す斜視図である。
【図７】キャスタユニットが分解された状態を示す斜視図である。
【図８】キャスタユニットが組立てられた状態を示す斜視図である。
【図９】キャスタユニットを天板の妻側縁部に取付ける方法を示す斜視図である。
【図１０】取付け時における着脱手段の作用を示す斜視図である。
【図１１】キャスタユニットを天板の妻側縁部に取付けた状態を示す斜視図である。
【図１２】取付け後における着脱手段の状態を示す斜視図である。
【発明を実施するための形態】
【００２０】
以下図面に基づいて本発明の好ましい実施形態を詳述する。
【００２１】
（作業台の１例）
本発明のキャスタ装置を取付けるための作業台は、建設現場等において高所作業のために使用される種々の形式のものを広く含む汎用の作業台であり、従って、その形状や大きさを特に限定するものではないが、その１例を図１に示している。
【００２２】
図例の場合、作業台１は、天板２に相互に対向する脚体３を設け、前記脚体３を天板２から下向きとして垂設させた開脚姿勢と、天板２の下側に格納させた閉脚姿勢の間で、姿勢変更自在とする枢結機構４を設けている。図例の場合、天板２は、矩形板状に形成された床材５の図示Ｙ方向の短手辺と図示Ｘ方向の長手辺にそれぞれ妻側フレーム６と桁側フレーム７を設け、それぞれのフレームにより形成された妻側縁部８ａと桁側縁部８ｂを天板２の側縁部８としており、妻側縁部８ａに脚体３を配置している。
【００２３】
脚体３は、前記妻側縁部８ａの両端部に臨む一対の柱脚３ａ、３ａを踏桟３ｂにより連結した梯子脚を構成しており、各柱脚３ａの上端部に手掛かり棒９の基端部が枢結されている。手掛かり棒９は、天板２の上方に向けて柱脚３ａから起立する直立姿勢と、該直立姿勢から反転することにより柱脚３ａに重ね合わせられる重合姿勢の間で、回動自在とされ、図示省略したロック手段によりそれぞれの姿勢で保持される。
【００２４】
前記脚体３は、枢結機構４を介して図示矢印のように回動することにより、開脚姿勢（展開姿勢）と閉脚姿勢（折畳み姿勢）の間で姿勢変更自在とされ、それぞれの姿勢とした状態で、妻側フレーム６に設けられたロック手段１０（図２、図４及び図６参照）により、姿勢変更不能に保持される。
【００２５】
その結果、作業台１は、手掛かり棒９を脚体３に重合させた状態で、該脚体３を天板２の下側に回動させた閉脚姿勢とすることにより、コンパクトに折畳まれ、その状態で、移動ないし運搬、或いは、保管することができるように構成されている。
【００２６】
図４に示すように、妻側フレーム６は、全長にわたり下面に開口する長溝１１を備えた角形パイプ材により形成されており、ロック手段１０は、前記長溝１１に摺動自在に挿入された一対のロッド１２、１２により構成されている。該ロッド１２、１２は、相互に対向する基端部に前記長溝１１から突出する操作片１２ａを設けると共に、先端部に長溝１１の両端部から進退自在に突出するロック片１２ｂを設けており、常時、スプリング１３によりロック片１２ｂを長溝１１の両端部から突出するように付勢されている。これにより、ロック片１２ｂは、ロック位置に突出した状態で脚体３に係止し、ロック位置からアンロック位置に後退させられたとき前記係止を解除する。尚、脚体３は、開脚姿勢状態と、閉脚姿勢状態の何れの姿勢状態とされたときにも、姿勢をロック保持されるように構成することが好ましい。
【００２７】
従って、ロッド１２がスプリング１３により移動されロック片１２ｂを脚体３に係止したロック位置に突出した状態では、図４（Ａ）に示すように、操作片１２ａ、１２ａは、相互に離反方向に移動させられており、相互間隔が第１離間距離Ｌ１とされる。そして、ユーザが離間距離を狭めるように操作片１２ａ、１２ａを相互に近接方向に移動させ、ロック片１２ｂをアンロック位置まで後退させると、脚体３に対する係止が解除され、このとき、図４（Ｂ）に示すように、操作片１２ａ、１２ａは、相互間隔が第２離間距離Ｌ２とされ、当然のことながら、Ｌ２＜Ｌ１とされている。
【００２８】
（キャスタ装置の基本的構成）
本発明は、作業台１を折畳んだ状態で、地面を走行させながら容易に移動させるためのキャスタ装置１４を提供するものであり、キャスタ装置１４は、図２に示すように、作業台１の妻側フレーム６に着脱自在に装着される。尚、図２は、理解の便宜のため、脚体３を開脚姿勢とした作業台１を図示しているが、本発明の好ましい実施形態において、キャスタ装置１４は、脚体３を閉脚姿勢とすることにより折畳み状態とした作業台１に取付けることを目的としている。従って、図２に鎖線で示すように脚体３を開脚姿勢として作業台１により高所作業を行うときには、キャスタ装置１４は、取外されることが望ましいことを理解されたい。
【００２９】
キャスタ装置１４は、妻側フレーム６に着脱自在に固着される支持基体１５に第１キャスタ１６と第２キャスタ１７を搭載したキャスタユニット１４Ｕを構成している。そこで、第１キャスタ１６は、車輪１６ａの進行方向を変更可能とする旋回軸１６Ｘを備えた自在式キャスタにより構成され、これに対して、第２キャスタ１７は、車輪１７ａの進行方向を変更不能に固定した固定式キャスタにより構成されている。
【００３０】
支持基体１５を妻側フレーム６に固着することによりキャスタ装置１４を取付けた状態において、第１キャスタ１６と第２キャスタ１７は、妻側フレーム６の長手方向に離間して並設され、それぞれの車輪１６ａ、１７ａは、天板２の妻側縁部８ａから天板２の外側に向けてＸ方向に突出しており、Ｘ方向に向けて第１キャスタ１６の旋回軸１６Ｘが形成されている。この際、第２キャスタ１７の車輪１７ａは、進行方向がＹ方向に固定されている。つまり、車輪１７ａを軸支する車軸１７ｂの軸方向がＸ方向及びＹ方向に交差するＺ方向に向けて固定されている。
【００３１】
上述のように、作業台１は、高所作業の終了等による不使用時には、折畳み状態とされ、移動の便に供するため、キャスタ装置１４が取付けられる。この際、折畳んだ作業台は、一旦は地面に預け置かれ、キャスタ装置１４を取付けた後、該キャスタ装置１４を下向きとして起立させられる。
【００３２】
図３（Ａ）に示すように、地面に預け置かれた作業台１は、キャスタ装置１４の車輪１６ａ、１７ａを支点として起立させられる。このとき、自在式キャスタにより構成された第１キャスタ１６は、車輪１６ａを前記旋回軸１６Ｘの軸廻りに回動自在とされ、地面に対する車輪１６ａの向きを自由に変更する。この点に関して、図示のように、作業台１を起立させるために、作業台の片側を起立方向Ｕに持ち上げたとき、もしも、接地側が図示の左右方向（矢印Ｌ、Ｒの方向）に自由に移動するならば、起立作業が困難となる。
【００３３】
ところが、本発明のキャスタ装置１４は、固定式キャスタにより構成された第２キャスタ１７を並設しており、該キャスタの車輪１７ａの向きを固定し、図示の左右方向（矢印Ｌ、Ｒの方向）には回転不能とされた姿勢を保持させているので、該車輪１７ａが作業台１を起立するための安定した支点を提供する。つまり、図示の左右方向（矢印Ｌ、Ｒの方向）に関して、車輪１７ａが地面上で摩擦抵抗により移動を阻止する起立支援手段１８を構成し、これにより、作業台１の起立作業を容易とする。
【００３４】
そして、作業台１は、図３（Ｂ）に示すように、起立させた状態で、第１キャスタ１６と第２キャスタ１７の２つのキャスタの車輪１６ａ、１７ａにより、好適に移動させることができる。この際、第２キャスタ１７の車輪１７ａは、妻側フレーム６の長手方向に向けて進行方向が固定されているが、第１キャスタ１６の車輪１６ａは、旋回軸１８の軸廻りに回動自在であるから、作業台１の進行方向を図示の左右方向（矢印Ｌ、Ｒの方向）に向けて容易に旋回させることが可能であり、良好な操行性を有する。
【００３５】
（キャスタ装置の実施形態）
図５ないし図１１は、キャスタ装置１４の好ましい実施形態を示している。
【００３６】
図５及び図６に示すように、作業台１における天板２の妻側縁部８ａを構成する妻側フレーム６は、天板２とほぼ面一で平行な上壁６ａと、該上壁６ａから鈍角を成して折曲され外向きに傾斜する側壁６ｂを備え、下面の両端部には長溝１１に挿入された一対のロッド１２を摺動自在に保持する保持板６ｃ、６ｃが設けられている。
【００３７】
これに対して、キャスタ装置１４を構成する支持基体１５は、金属板を折曲することにより形成され、図５及び図６に示すように、妻側フレーム６を外側から保持する保持手段１９を備えている。保持手段１９を構成するため、支持基体１５は、妻側フレーム６の上壁６ａに沿って添接自在とされた保持壁１５ａと、該保持壁１５ａの側縁から直角に折曲されることにより妻側フレーム６の側壁６ｂを被う支持壁１６ｂと、該支持壁１６ｂの両端部から折曲されることにより妻側フレーム６の保持板６ｃ、６ｃに添接される抱持壁１５ｃ、１５ｃを備えている。更に、保持手段１９は、支持壁１６ｂの内側において、妻側フレーム６の側壁６ｂに形成された孔６ｄに嵌入自在なピン２０を設けると共に、該側壁６ｂに接支自在なリブ２１を設けている。
【００３８】
支持基体１５は、支持壁１６ｂの外側の両端部に第１キャスタ１６と第２キャスタ１７を装着することによりキャスタユニット１４Ｕを構成している。両キャスタ１６、１７は、作業台１の天板２と直角関係に形成された支持壁１６ｂに装着され、折畳み状態で起立させられる作業台１の荷重を好適に支持する。
【００３９】
キャスタユニット１４Ｕの支持基体１５は、上記構成の保持手段１９により、ピン２０を孔６ｄに嵌入したとき、リブ２１を側壁６ｂに接支すると共に、保持壁１５ａ及び抱持壁１５ｃをそれぞれ上壁６ａ及び保持板６ｃに添接させ、これにより、妻側フレーム６を外側から保持した状態で位置決め固定される。
【００４０】
この状態で、キャスタ装置１４には、妻側フレーム６に着脱自在に係止される着脱手段２２が設けられており、着脱手段２２は、妻側フレーム６の長溝１１に挿脱自在に挿入係止されるように構成されている。
【００４１】
図７及び図８に示すように、支持基体１５は、妻側フレーム６の長溝１１の長手方向中央部（操作片１２ａ、１２ａの間の部分）に臨まされるブラケット２３を設けており、前記着脱手段２２は、長溝１１の溝深さ方向に延びる支軸２４と、該支軸２４を介して溝深さ方向に移動自在かつ回動自在な可動部材２５と、該可動部材２５から長溝１１に向けて延設された係止片２６、２６により構成されている。尚、可動部材２５の両側縁には摘み部２５ａが設けられている。
【００４２】
図示実施形態の場合、前記ブラケット２３は、前記可動部材２５を載置状態で支持する支持台２７を設けている。前記支軸２４は、頭部２４ａとネジ付きの軸部２４ｂを備えたボルトにより構成され、頭部２４ａにより圧縮可能なコイルバネから成るバネ手段２８を軸部２４ｂに外挿している。
【００４３】
前記支軸２４は、ブラケット２３に開設された挿通窓孔２３ａに対してバネ手段２８と共に軸部２４ｂを図示の下方から挿通され、バネ手段２８から突出する軸部２４ｂを支持台２７の軸孔２７ａと可動部材２５の軸孔２５ａに挿通した状態で、軸端部にナット２９が締結される。
【００４４】
これにより、可動部材２５は、前記バネ手段２８により支持台２７に向けて付勢され、常時は、支持台２７に載置される。この状態で、係止片２６、２６は、ブラケット２３の切欠き状の凹部２３ｂに嵌合されると共に、長溝１１に挿入させられる。また、可動部材２５の摘み部２５ａは、ユーザが指先で容易に摘まむことができるように、支持台２７を介してブラケット２３の表面から離間させられている。
【００４５】
このように、可動部材２５が支持台２７に載置された状態で、係止片２６、２６は、長溝１１に挿入される長さ寸法を有すると共に、挿入状態で長溝１１の幅方向にガタツキを有しない幅寸法を有している。この際、上述したロック手段１０における操作片１２ａ、１２ａの第１離間距離Ｌ１と第２離間距離Ｌ２に対して、一対の係止片２６、２６は、外側面の相互間隔ＬをＬ１＞Ｌ＞Ｌ２とするように形成されることが好ましく、これにより、後述するようなストッパ手段３０を構成している。
【００４６】
（キャスタ装置の着脱方法）
作業台１の妻側フレーム６にキャスタ装置１４を取付ける際は、図９及び図１０に示すように、着脱手段２２の可動部材２５をバネ手段２８に抗して支持台２７から引き離すことにより、係止片２６、２６を後退させ、該可動部材２５を支軸２４の軸廻りに回動することにより、係止片２６、２６をブラケット２３の表面に接支させる。
【００４７】
この状態で、上述のように、保持手段１９により、妻側フレーム６を外側から保持することにより、支持基体１５を位置決め固定することができる。即ち、ピン２０を孔６ｄに嵌入すると共に、リブ２１を側壁６ｂに接支すると、保持壁１５ａ及び抱持壁１５ｃが妻側フレーム６を外側から保持する。
【００４８】
そこで、可動部材２５を支軸２４の軸廻りに回動することにより、係止片２６、２６をブラケット２３の凹部２３ｂに臨ませると、可動部材２５がバネ手段２８により支持台２７に向けて引き寄せられ、係止片２６、２６は、凹部２３ｂに沿って下動しつつ妻側フレーム６の長溝１１に挿入される。従って、これにより、キャスタ装置１４は、係止状態として妻側フレーム６に取付けられる。
【００４９】
上述のように、キャスタ装置１４は、脚体３を閉脚姿勢とした折畳み状態の作業台１に取付けられ、脚体３を開脚姿勢として作業台１により高所作業を行うときには、作業台１から取外すことが望ましい。
【００５０】
この点に関して、作業台１は、脚体３を閉脚姿勢としたとき、枢結機構４のロック手段１０により閉脚姿勢状態にロックされており、この状態で、キャスタ装置１４が取付けられる。そして、作業台１は、キャスタ装置１４を取付けた状態のままでは、前記ロックを解除することができない、つまり、脚体３を開脚姿勢として高所作業のために使用することはできないように構成されている。
【００５１】
キャスタ装置１４を取付けた状態で、係止片２６、２６は、着脱手段２２を構成するだけでなく、ロック手段１０におけるロッド１２、１２の操作片１２ａ、１２ａの間に介装され、操作片１２ａ、１２ａがアンロック位置（つまり第２離間距離Ｌ２とする位置）に移動することを阻止するストッパ手段３０を構成している。
【００５２】
このため、ユーザは、作業台１の脚体３を開脚させて使用するために、ロック手段１０のロックを解除しようとするときは、必ずキャスタ装置１４を取外さなければならず、その取外しを忘れたまま脚体３を開脚して高所作業に供することはできないから、作業の危険や事故等がキャスタ装置１４を原因として発生することはない。
【００５３】
因みに、キャスタ装置１４を妻側フレーム６から取外す際は、可動部材２５をバネ手段２８に抗して支軸２４の軸方向に移動することにより、係止片２６、２６を長溝１１から脱出させると共に、可動部材２５を支軸２４の軸廻りに回動することにより、係止片２６をブラケット２３の表面に接支させ、この状態で、支持基体１５を妻側フレーム６から引き抜き方向に移動し、保持手段１９による保持を解除すれば良い。そして、キャスタ装置１４を取外した状態では、ロック手段１０の操作が可能となる。
【符号の説明】
【００５４】
１  作業台
２  天板
３  脚体
３ａ  柱脚
３ｂ  踏桟
４  枢結機構
５  床材
６  妻側フレーム
６ａ  上壁
６ｂ  側壁
６ｃ  保持板
６ｄ  孔
７  桁側フレーム
８  側縁部
８ａ  妻側縁部
８ｂ  桁側縁部
９  手掛かり棒
１０  ロック手段
１１  長溝
１２  ロッド
１２ａ  操作片
１２ｂ  ロック片
１３  スプリング
１４  キャスタ装置
１４Ｕ  キャスタユニット
１５  支持基体
１６  第１キャスタ
１６ａ  車輪
１６Ｘ  旋回軸
１７  第２キャスタ
１７ａ  車輪
１７ｂ  車軸
１８  起立支援手段
１９  保持手段
２０  ピン
２１  リブ
２２  着脱手段
２３  ブラケット
２３ａ  挿通窓孔
２３ｂ  凹部
２４  支軸
２４ａ  頭部
２４ｂ  軸部
２５  可動部材
２５ａ  摘み部
２６  係止片
２７  支持台
２８  バネ手段
２９  ナット
３０  ストッパ手段
【図１】
2019214852.tif 000003
【図２】
2019214852.tif 000004
【図３】
2019214852.tif 000005
【図４】
2019214852.tif 000006
【図５】
2019214852.tif 000007
【図６】
2019214852.tif 000008
【図７】
2019214852.tif 000009
【図８】
2019214852.tif 000010
【図９】
2019214852.tif 000011
【図１０】
2019214852.tif 000012
【図１１】
2019214852.tif 000013
【図１２】
2019214852.tif 000014